(57)【要約】【課題】防水性能を有するとともに小形でかつ安価な点灯装置を提供する。【解決手段】回路モジュール21、トレー41、コネクタキャップ43、充填材55、及び外郭ケース11を具備する。モジュール21は、電気絶縁性の回路基板22、この基板に搭載されて点灯回路をなす各種の電気部品26、及び点灯回路に接続して基板22に搭載された電線コネクタ24を備える。トレー41はモジュール21を収容する。コネクタキャップ43は電線が挿入されるまで閉じた状態を維持する閉鎖部を有してコネクタ24に被嵌される。充填材55は、防水性と電気絶縁性を有していて、モジュール21全体を埋めてトレー41に充填されている。外郭ケース11は、その内部を略満たして、トレー41、モジュール21、及び充填材55からなる防水アセンブリ31を収容し、キャップ43を露出させる。【選択図】      図４
2006054106.tif 000002
【特許請求の範囲】
【請求項１】
回路基板、この基板に搭載されて点灯回路をなす各種の電気部品、及び前記点灯回路に接続して前記回路基板に搭載された電線コネクタを備えた回路モジュールと；
前記電線コネクタに被嵌され、この電線コネクタへの電線の接続時にこの電線で押し破られて前記電線の挿入を許す閉鎖部で閉じられた通孔予定部を有したコネクタキャップと；
前記回路モジュールを収容したトレーと；
防水性及び電気絶縁性を有し、前記回路モジュール全体を埋めて前記トレーに充填された充填材と；
前記トレー、回路モジュール、及び充填材からなる防水アセンブリを収容するとともに、前記コネクタキャップを露出させる外郭ケースと；
を具備したことを特徴とする点灯装置。
【請求項２】
前記充填材が、フィラーが混入された合成樹脂であることを特徴とする請求項１に記載の点灯装置。
【請求項３】
器具本体と；
この器具本体に取付けられたランプソケットと；
このソケットに取り外し可能に支持された放電灯と；
前記器具本体に取付けられて前記放電灯を点灯させる請求項１又は２に記載の点灯装置と；
を具備したことを特徴とする照明器具。
【発明の詳細な説明】
【技術分野】
【０００１】
本発明は、蛍光ランプ等の放電灯を備える照明器具、及び放電灯を点灯させる点灯装置に関する。
【背景技術】
【０００２】
屋外や高湿度環境下に設置される照明器具では、この器具が備える放電灯を点灯させる点灯装置も高湿度に晒されることがあるため、点灯装置には防水性能が求められる。
【０００３】
従来、こうした防水性能を得るために、断面において継ぎ目がない一体成形品からなる筒状ケース内にインバータ点灯装置を収容するとともに、筒状ケースの両端開口部を側板で閉じて、これら筒状ケースと側板とで外郭となる防水ケースを形成し、この防水ケースでインバータ点灯装置に対する防水を図った技術が知られている（例えば特許文献１参照。）。
【特許文献１】特開2003−7122号公報（段落0004、0005、0008−0019、図１−図１４、図１７、図１９）
【発明の開示】
【発明が解決しようとする課題】
【０００４】
特許文献１の技術では、インバータ点灯装置自体がその外郭をなすケースを有して組立てられており、こうした点灯装置を防水ケースに収容しているので、点灯装置全体の外郭をなす防水ケースが大形である。又、インバータ点灯装置の組立ての他に、この装置を筒状ケースに収容する手間、及びこの後に防水ケースを組立てる手間が必要であるため、組立ての工数が多い。したがって、既述のように大形な防水ケースを用いること自体でのコスト増加に加えて組立て上のコストも多く掛かるので、コスト高である。
【０００５】
本発明の目的は、防水性能を有するとともに小形でかつ安価な点灯装置及びこれを備えた照明器具を提供することにある。
【課題を解決するための手段】
【０００６】
前記課題を解決するために、請求項１の発明に係る点灯装置は、回路基板、この基板に搭載されて点灯回路をなす各種の電気部品、及び前記点灯回路に接続して前記回路基板に搭載された電線コネクタを備えた回路モジュールと；前記電線コネクタに被嵌され、この電線コネクタへの電線の接続時にこの電線で押し破られて前記電線の挿入を許す閉鎖部で閉じられた通孔予定部を有したコネクタキャップと；前記回路モジュールを収容したトレーと；防水性及び電気絶縁性を有し、前記回路モジュール全体を埋めて前記トレーに充填された充填材と；前記トレー、回路モジュール、及び充填材からなる防水アセンブリを収容するとともに、前記コネクタキャップを露出させる外郭ケースと；を具備したことを特徴としている。
【０００７】
本発明において、トレーは例えばトレー本体とコネクタキャップとを一体的に成形してもよいし、トレーとコネクタキャップとは別体であってもよい。トレーとコネクタキャップとが別体である場合、コネクタキャップはトレーから外れた位置に設けることが可能である。コネクタキャップは合成樹脂又はゴムなどで作ることができる。ＥＰＤＭ等のゴムでトレーを作る場合には、トレー本体とコネクタキャップとは一体成型可能である。合成樹脂でトレー本体を作る場合には、コネクタキャップをＥＰＤＭ等のゴム製とすればよい。トレーを作る合成樹脂には、材料コストが安価でかつ充填材の加熱硬化処理の温度に耐える耐熱性を有する樹脂例えばＰＥＴ樹脂を好適に用いることができる。本発明において、充填材には、合成樹脂例えばシリコン樹脂、ウレタン樹脂、エポキシ樹脂、不飽和ポリエステル樹脂等を用いることができ、好適には材料コストが安価なウレタン樹脂を用いることができ、より高い放熱性も得るためにはシリコン樹脂や不飽和ポリエステル樹脂などを用いるとよい。本発明において、外郭ケースをなす収容ベース及びカバーは、合成樹脂でも作れるが、外部への放熱性能を得るためにアルミニューム合金などの熱伝導性が良好な金属製とするとよい。本発明において、回路基板の半田付け面にはチップ部品などの電気部品が面実装されていてもよい。
【０００８】
又、本発明の点灯装置は、ランプを平常時点灯させるものであっても、停電などの非常時に点灯させるものであってもよい。又、本発明において、外郭ケースは防水アセンブリを満杯状態に収容することが、小型化を促進し、かつ、防水アセンブリから外郭ケースへの放熱を良くする上で好ましい。ここに満杯状態とは、防水アセンブリがその各面を外郭ケースの各面に熱伝導的に接した状態に外郭ケースに収容されている状態が好適であるが、例えば少なくとも防水アセンブリの一部、好ましくは回路基板の半田付け面を覆った充填材の半田カバー層を熱伝導的に外郭ケースに接触させて、その他の部分を外郭ケースから少し離した収容形態も含んでいる。
【０００９】
請求項１の発明では、外郭ケースと略同じ大きさのトレーを備え、このトレーに収容した回路モジュール全体をトレーに充填した電気絶縁性でかつ防水性の充填材に埋設したので、この充填材によって回路モジュールの回路基板及び電気部品等を防水できる。コネクタキャップの通孔予定部は電線が挿入されるまでは閉鎖部によって閉じられているので、トレーに充填された充填材が、コネクタキャップによって電線コネクタに侵入することがない。そして、既述のように外郭ケースに収容されたトレーとこれに充填された充填材を用いて回路モジュールの防水を実現したので、殊更大きい外郭ケースを要しないとともに、こうした外郭ケース内での防水構成により、外郭ケースを収容する防水ケースを要しないで高湿度環境に耐える防水性能を得ることができる。
【００１０】
又、本発明の好ましい形態である請求項２の発明は、前記充填材が、フィラーが混入された合成樹脂であることを特徴としている。ここにフィラーとしては、無機物のフィラー、又は金属化合物としての水酸化アルミニュームのフィラーを好適に例示できる。このフィラーの混入割合は、要求される放熱特性に適合させて設定される。
【００１１】
この請求項２では、充填材に混入されたフィラーにより、充填材に優れた放熱性を与えることができる。したがって、発熱を伴う電気部品の熱を外郭ケースに充填材を通じて速やかに伝達して、充填材内の電気部品の温度過昇を抑制できる。
【００１２】
請求項３の発明は、器具本体と；この器具本体に取付けられたランプソケットと；このソケットに取り外し可能に支持された放電灯と；前記器具本体に取付けられて前記放電灯を点灯させる請求項１又は２に記載の点灯装置と；を具備したことを特徴としている。
【００１３】
この発明の照明器具が備えた点灯装置は、請求項１又は２に記載のものであるので、防水性能を有するとともに小形でかつ安価な点灯装置を備えた照明器具を提供できる。
【発明の効果】
【００１４】
請求項１の発明によれば、外郭ケースに収容される大きさのトレーに充填した充填材内に回路モジュール全体を埋設して、外郭ケース内部で防水を実現したので、外郭ケースを大きくする必要がないとともに外郭ケースを収容する防水ケースを要しないで、高湿度環境に耐える防水性能を得ることができる。このため、所定の防水性能を有するとともに小形でかつ安価な点灯装置を提供できる。
【００１５】
請求項２の発明によれば、フィラーにより充填材に与えられた放熱性によって、充填材内の発熱を伴う電気部品の熱を速やかに外郭ケースに放出させてこの電気部品の温度過昇を抑制可能な点灯装置を提供できる。
【００１６】
請求項３の発明によれば、請求項１又は２に記載の防水性能を有するとともに小形でかつ安価な点灯装置を備えた照明器具を提供できる。
【発明を実施するための最良の形態】
【００１７】
図１〜図１１を参照して本発明の一実施形態を説明する。
【００１８】
図１中符号１で示す照明器具は、屋外灯、又はトンネル内に設置されるトンネル灯、或いは駅舎の軒下灯等として、好ましい防水性を備えて使用される。この照明器具１は、器具本体２と、ランプソケット３と、放電灯例えば直管型の蛍光ランプ４と、電子安定器として機能する防水型の点灯装置５とを備えている。
【００１９】
図１に例示された器具本体２は、金属製であって直方体形状をなし、その長手方向両端部にランプソケット３がたとえば下向きに突設されている。蛍光ランプ４はランプソケット３に取外し可能に支持されている。蛍光ランプ４を点灯させる点灯装置５は器具本体２に内蔵されている。この点灯装置５は、以下のように構成されている。
【００２０】
図２〜図４に示すように点灯装置５は、外郭ケース１１と、回路モジュール２１と、トレー４１と、充填材５５とを具備している。
【００２１】
外郭ケース１１は、収容ベース１２と、これに連結されたカバー１５とを有している。収容ベース１２及びカバー１５は、金属製例えば放熱性に優れたアルミニューム合金製とすることが好ましいが、材料コストが安い鉄製とすることも可能である。収容ベース１２及びカバー１５との連結は、例えば図示しないが収容ベース１２とカバー１５との一方に形成されて内側に起こされた切起し片を、他方に形成された孔や切欠き等の受け部に引っ掛けことなどにより行われている。
【００２２】
図２及び図３に示すように収容ベース１２は、ベース壁１２ａと、この幅方向両縁から夫々直角状に折り曲げられた側壁１２ｂとを有して、横断面コ字形の樋状をなしている。この収容ベース１２の全長は後述する回路基板２２より長い。ベース壁１２ａの長手方向両端部には夫々孔又は切欠きからなる固定部１３が夫々形成されている。これらの固定部１３を通るねじ等の固定部品により、ベース壁１２ａを器具本体２の金属部分に接触させて、点灯装置５が器具本体２に取付けられている。したがって、収容ベース１２は器具本体２への伝熱面として機能している。
【００２３】
図２〜図４に示すようにカバー１５は、例えば幅方向両側に夫々斜めに曲げられた部位を有したカバー主壁１５ａと、この両側縁から夫々折り曲げられた側壁１５ｂと、カバー主壁１５ａの長手方向両端から夫々直角状に折り曲げられた端壁１５ｃとを有して形成されている。端壁１５ｃはカバー主壁１５ａ及び端壁１５ｃが作る樋状の長手方向両端を閉じるように設けられている。このカバー１５は固定部１３を露出させる程度に収容ベース１２よりも短く形成されている。カバー１５は、その側壁１５ｂを収容ベース１２の側壁１２ｂの内面に直接重ねるとともに、これらの側壁１２ｂ、１５ｂが連結されている。重ね合わされた側壁１２ｂ、１５ｂを通じて収容ベース１２とカバー１５とは熱伝導可能である。
【００２４】
カバー１５の長手方向一端部及び他端部には四角形状の孔１６，１７が個別に開けられている。一方の孔１６は後述の入力側のコネクタキャップ４３を露出させるために設けられ、他方の孔１７は後述の出力側のコネクタキャップ４４を露出させるために設けられている。
【００２５】
蛍光ランプ４を点灯させるための回路モジュール２１は、電気絶縁性の回路基板２２と、点灯回路２３（図７参照）と、入力用の電線コネクタ２４と、出力用の電線コネクタ２５とを備えている。
【００２６】
回路基板２２はカバー１５内に収まる大きさの長四角形状をなし、その一面は部品取り付け面２２ａとして利用され、回路パターンが印刷された他面は半田付け面２２ｂとして利用されている。半田付け面２２ｂの表面は絶縁性のレジスト層（図示しない）で覆われている。
【００２７】
図４及び図８等に示すように点灯回路２３は、パワートランジスタ等の半導体、抵抗、コンデンサ、コイル、トランス、ダイオード、その他の各種のチップ部品等の電気部品２６を組み合わせて例えばインバータ回路部を含んで構成されている。なお、図８中符号２６ａは電気部品２６の一つである発熱を伴うパワートランジスタを示し、符号２６ｂは電気部品２６の一つである電解コンデンサを示している。又、符号２７はパワートランジスタ２６ａに熱的に接続された放熱板を示している。放熱板２７は、部品取付け面２２ａに対して直角となるように回路基板２２の一側縁に沿って起立されているとともに、回路基板２２の幅の外側に多少はみ出ている。図１０に示すように前記電解コンデンサ２６ｂは、その先端面に露出する防爆弁２８を有している。防爆弁２８は電解コンデンサ２６ｂの内圧が異常に上昇した場合に破壊するものである。
【００２８】
点灯回路２３は回路基板２２の長手方向両端部を除いた中間部両面に亘って形成されていて、その内の殆どの電気部品は部品取付け面２２ａに実装されている。電気部品２６はチップ部品等の面実装部品の他に、フロー半田処理により回路基板２２に搭載される複数の電気部品を含んでいる。これらの電気部品は、ピン状の端子２９を有しており、この端子２９を回路基板２２に貫通させてフロー半田層に通すことにより、回路パターンの各ランドに個別に半田付けされて回路基板２２に取付けられている。
【００２９】
図８に示すように入力用（高圧側）の電線コネクタ２４は回路基板２２の長手方向一端部に半田付けされ、出力用（低圧側）の電線コネクタ２５は回路基板２２の長手方向他端部に半田付けされている。これらの電線コネクタ２４，２５もピン状の端子３０を有しており、端子２９を有した電気部品とともにフロー半田処理により回路基板２２に搭載されている。電線コネクタ２４には図示しない電源側の絶縁被覆電線（図示しない）の芯線が差し込み接続される。電線コネクタ２５には器具内配線用の絶縁被覆電線（図示しない）の芯線が差し込み接続される。
【００３０】
トレー４１は充填材５５を充填するための充填容器として機能するものである。図３及び図６〜図８等に示すようにトレー４１は、カバー１５より僅かに小さく、カバー１５の内面に接するようにこの内面形状に沿って収容されるトレー本体４２と、複数例えば一対のコネクタキャップ４３，４４とを有している。
【００３１】
トレー本体４２は、好ましくは耐熱性を有する廉価な電気絶縁材、例えばＰＥＴ樹脂製のフィルム状成形品である。トレー本体４２は、その長手方向両端部にキャップ接続部４２ａを有している。これらキャップ接続部４２ａ間のトレー本体４２の深さは、キャップ接続部４２ａでのトレー本体４２の深さより深く、この深い部位はカバー１５の内面に接触する大きさに形成されている。なお、図６〜図８中符号４２ｂはトレー本体４２の側板を示しており、又、符号４２ｃは前記深い部位から左右のキャップ接続部４２ａに亘って連続するトレー本体４２の開口縁を示している。
【００３２】
図７に示すようにトレー本体４２には、側板４２ｂの内面に突出してトレー本体４２の深さ厚み方向（上下方向）に沿って延びる支持凸部４５が複数形成されている。更に、トレー本体４２の深い部位には複数の上げ底部４６〜５２が一体に形成されている。これらの上げ底部４６〜５２は、回路モジュール２１の電気部品２６の配設密度が低い領域とチップ部品等の高さが低い電気部品が集まって配設された領域などに対応して設けられている。
【００３３】
コネクタキャップ４３，４４は例えばゴム製である。一方のコネクタキャップ４３は、その弾性変形により入力用の電線コネクタ２４に密に被嵌可能に形成されていて、一方のキャップ接続部４２ａにこれを液密に貫通して取付けられている。他方のコネクタキャップ４４は、その弾性変形により出力用の電線コネクタ２５に密に被嵌可能に形成されていて、他方のキャップ接続部４２ａにこれを液密に貫通して取付けられている。トレー本体４２内に位置したコネクタキャップ４３，４４の開放端面４３ａ，４４ａの高さ位置は、支持凸部４５の高さ位置と略同じである。又、これらの高さ位置よりも上げ底部４６〜５２の底面の高さ位置は低い。
【００３４】
コネクタキャップ４３，４４は、電源側又は器具内配線用の絶縁被覆電線の端末部が挿入される電線差込部５３を夫々複数有している。この電線差込部５３は、図９で代表して示すようにキャップ外面に臨んだ閉鎖部５３ａにより閉じられた通孔予定部５３ｂを有し、この通孔予定部５３ｂの内面には複数の環状突起５３ｃが設けられている。閉鎖部５３ａは薄肉である。前記電線の端末部にむき出された芯線及び端末部は閉鎖部５３ａを押し破って通孔予定部５３ｂに挿入でき、この挿入に伴い電線端末部の外周に各環状突起５３ｃが夫々密接されて液密が図られている。電線差込部５３に挿入された電線端末部の芯線は電線コネクタ２４又は２５に挿入されて、これらコネクタが有した図示しない速結端子に接続されるようになっている。
【００３５】
前記回路モジュール２１は、その部品取付け面２２ａをトレー４１の内部に臨ませてトレー４１に収容されている。収容された回路モジュール２１の回路基板２２の長手方向両端部は、夫々コネクタキャップ４３，４４の開放端面４３ａ，４４ａに載って支持され、回路基板２２の長手方向両端部間の中間部は、複数の支持凸部４５に載って支持される。更に、この収容の際、電線コネクタ２４にはコネクタキャップ４３が被嵌されるとともに、電線コネクタ２５にはコネクタキャップ４４が被嵌される。これらの被嵌によりトレー４１に対して回路モジュール２１が位置決めされる。
【００３６】
こうしてトレー４１に収容された回路モジュール２１の電気部品２６の端子２９、及び電線コネクタ２４，２５の端子３０の先端は、夫々上を向いて突出している。しかし、各端子２９，３０の高さ位置は、トレー４１の開口縁４２ｃの上端より低い位置にある。又、図３及び図４に例示されるように各電気部品２６の先端（図３及び図４では下端）は、いずれもトレー本体４２の内面から離れている。更に、回路モジュール２１の電気部品２６の配設密度が低い領域とチップ部品等の高さが低い電気部品が集まって配設された領域とには、トレー本体４２の上げ底部４６〜５２が夫々対向している。
【００３７】
前記充填材５５は、電気絶縁性及び防水性を有する合成樹脂であって、本実施形態では放熱性を高めるために酸化アルミニュームのフィラー（図示しない）が混入されたウレタン樹脂を用いている。充填材５５は、トレー４１に収容された回路モジュール２１全体を埋設してトレー４１に充填されている。この充填は、回路モジュール２１が納められたトレー４１をカバー１５の内側に嵌合させた状態で実施され、未硬化の充填材はトレー４１の開口縁４２ｃと回路基板２２の間の隙間から注入される。又、トレー４１をカバー１５内に嵌合させることにより、コネクタキャップ４３，４４は夫々対向した孔１６，１７に露出されて、外部からの電線の挿入が可能となる。
【００３８】
図３及び図４中符号５５ａは回路基板２２の半田付け面２２ｂを覆った充填材５５の半田カバー層を示しており、この半田カバー層５５ａ内には各端子２９，３０が埋設されている。半田カバー層５５ａの表面の高さは例えばトレー４１の開口縁４２ｃの上端と同じ高さに位置している。つまり、図５に示すように充填材５５はその半田カバー層５５ａの表面がトレー４１の開口縁４２ｃの上端と同面となるようにトレー４１に満たされた状態に充填されている。なお、半田カバー層５５ａの表面の高さはトレー４１の開口縁４２ｃの上端より低くすることもできる。
【００３９】
充填材５５と、トレー４１と、回路モジュール２１とは、充填材５５の防水性能によって回路モジュール２１に対する防水性を担保する防水アセンブリ３１を構成している。
【００４０】
トレー４１が上げ底部４６〜５２を有した構成によって、上げ底部がないトレーを用いた構成に比較して充填材５５の使用量を少なくできる。これにより、充填作業時間の短縮とともに、点灯装置５のコスト低減を図ることが可能である。
【００４１】
充填材５５をトレー４１に充填した後に防水アセンブリ３１を加熱硬化炉に通すことによって、充填材５５は硬化される。この加熱処理で与えられる熱に対してＰＥＴ製のトレー４１は十分な耐熱性を発揮できる。
【００４２】
この硬化後の充填材５５の硬度は、電解コンデンサ２６ｂの防爆弁２８が動作可能な硬度とすることが望ましい。この硬度としてＪＩＳ  Ａ硬度  ５０を例示できる。こうした硬度の充填材５５を用いることによって、図１１（Ａ）のように充填材５５に全体が埋設された電解コンデンサ２６ｂの防爆弁２８が破壊された場合、図１１（Ｂ）に示すように電解コンデンサ２６ｂの防爆弁２８を覆っていた部分５５ｂが、盛り上がるように容易に撓んで、防爆弁２８の破壊に伴う応力を緩和し吸収できる。このため、防爆弁２８の周囲の充填材５５の影響で、防爆弁２８の破壊に伴い応力が急激に増大して、防爆弁２８を覆っていた部分５５ｂが吹き飛んで、他に悪影響を与えることを抑制できる。
【００４３】
前記防水アセンブリ３１は既述のようにカバー１５に納めた状態で充填材５５を充填して組立てられる。そして、防水アセンブリ３１のトレー４１の外面はカバー１５の内面に接触するように収容され、言い換えれば、トレー４１はカバー１５に対して満杯状態に収容されている。これにより、防水アセンブリ３１からカバー１５への熱伝導が可能となっている。特に、発熱量が多いパワートランジスタ２６ａに接続されて回路基板２２からはみ出している放熱板２７は、トレー４１の一方の側板４２ｂをカバー１５の一方の側壁１５ｂに強く押し付けて密接状態となるので、この放熱板２７からカバー１５への熱伝導は確実である。
【００４４】
以上のように防水アセンブリ３１が収容されたカバー１５には収容ベース１２が被され、これら収容ベース１２とカバー１５とは連結されて、外郭ケース１１を構成する。この組立て状態で、充填材５５の半田カバー層５５ａは収容ベース１２のベース壁１２ａで覆われ、かつ、これらのベース壁１２ａと半田カバー層５５ａとは図３及び図４に示すように密に面接触する。この接触にも拘わらず、半田カバー層５５ａは電気絶縁性であるので、収容ベース１２と回路モジュール２１との間の電気絶縁を図るシート部材を要しない。前記面接触に基づく広い接触面積の確保により、防水アセンブリ３１の熱を収容ベース１２に円滑に伝導させることができる。なお、ベース壁１２ａと半田カバー層５５ａの間に隙間が生じる場合には、この隙間に相当する厚みを有した良熱伝導性のシート状伝熱部材を、ベース壁１２ａと半田カバー層５５ａの間に挟設して、円滑な熱伝導を図ることも可能である。
【００４５】
又、外郭ケース１１の収容ベース１２とカバー１５の夫々には排水部が設けられている。つまり、図２〜図４に示すように収容ベース１２のベース壁１２ａには孔からなる複数の排水部１４が開けられているとともに、カバー１５のカバー主壁１５ａにも孔からなる複数の排水部１８が開けられている。このため、湿気などが外郭ケース１１とトレー４１及び半田カバー層５５ａ等との間に結露した場合に、排水部１４，１８を通して外郭ケース１１の外部に排水できる。したがって、点灯装置５の電気絶縁性能を向上できる。又、外郭ケース１１を鉄で作る場合には、この外郭ケース１１に錆が発生することを抑制する上でも有効である。
【００４６】
以上の構成の点灯装置５では、外郭ケース１１のカバー１５と略同じ大きさのトレー４１を備え、このトレー４１に収容した回路モジュール２１全体をトレー４１に充填した充填材５５に埋設している。そして、トレー４１に充填された充填材５５は、トレー４１のコネクタキャップ４３，４４によって回路モジュール２１の電線コネクタ２４，２５に侵入することがない。つまり、コネクタキャップ４３，４４の通孔予定部５３ｂは電線が挿入されるまでは薄肉の閉鎖部５３ａによって閉じられているので、トレー４１に充填された充填材４５が、コネクタキャップ４３，４４を通って電線コネクタ２４，２５に侵入することがない。
【００４７】
充填材５５は、電気絶縁性でかつ防水性を有しているので、この充填材５５によって回路モジュール２１の回路基板２２、電気部品２６、及び半田付け面２２ｂ等を防水できる。そして、トレー４１はカバー１５内に満杯状態に収容される大きさであり、このトレー４１を用いて外郭ケース１１の内部で既述の防水を実現した構成を備えているので、防水の構成を原因として外郭ケース１１が大きくなることがない。これにより、既存の製造設備で作られる外郭ケースを用いることも可能である。これとともに、こうした外郭ケース１１内での防水構成により、外郭ケース１１を収容する大形な防水ケースを要しないで、高湿度環境に耐える防水性能を得ることができる。
【００４８】
このため、点灯装置５を小形に構成できる。しかも、この点灯装置５の組立ての他に、この装置５を防水ケースに収容する手間、及びこの後に防水ケースを組立てる手間が不要であるので、容易に組立てることができる。以上のように防水ケースを用いること自体でのコスト増加をなくすことができることに加えて、組立てコスト上のコスト低減できるので、点灯装置５ひいてはこの装置５を備える照明器具１を低コスト化できる。
【００４９】
更に、前記点灯装置５の充填材５５は防水性能だけではなく放熱性能も備えているので、パワートランジスタ２６ａその他発熱を伴う電気部品の熱を、充填材５５に通して外郭ケース１１に伝導できる。この場合、充填材５５の容量が大であるとともに、この充填材５５から外郭ケース１１への熱伝導面積も大きいので、優れた放熱特性を得ることができる。特に、金属フィラーを混入した充填材５５の採用により、より放熱特性を向上できる。
【００５０】
又、既述のように充填材５５が回路モジュール２１全体を埋設しているので、充填材５５によって確実な防塵ができる。これにより、塵が多い場所で使用される点灯装置５ひいてはこの装置５を備える照明器具１としても好適に使用できる。
【図面の簡単な説明】
【００５１】
【図１】本発明の一実施形態に係る照明器具を示す斜視図。
【図２】図１の照明器具が備える本発明の一実施形態に係る点灯装置を示す斜視図。
【図３】図２中Ｆ３−Ｆ３線に沿う断面図。
【図４】図２中Ｆ４−Ｆ４線に沿う断面図。
【図５】図２の点灯装置の防水アセンブリを裏側から見て示す斜視図。
【図６】図５の防水アセンブリが備えるトレーを表側から見て示す斜視図。
【図７】図６のトレーとこれに収容される回路モジュールとを分離した状態で裏側から見て示す斜視図。
【図８】図６のトレーとこれに収容される回路モジュールとを分離した状態で表側から見て示す斜視図。
【図９】図６のトレーが有したコネクタキャップを示す断面図。
【図１０】図８に示した回路モジュールに搭載される防爆弁付きの電気部品を示す斜視図。
【図１１】（Ａ）は図１０の電気部品が充填材に埋設された状態を示す断面図。（Ｂ）は充填材に埋設された図１０の電気部品の防爆弁が動作した状態を示す断面図。
【符号の説明】
【００５２】
１…照明器具、２…器具本体、３…ランプソケット、４…蛍光ランプ、５…点灯装置、１１…外郭ケース、１２…収容ベース、１５…カバー、１６，１７…孔、２１…回路モジュール、２２…回路基板、２２ａ…部品取付け面、２２ｂ…半田付け面、２３…点灯回路、２４，２５…電線コネクタ、２６…電気部品、２９，３０…端子、３１…防水アセンブリ、４１…トレー、４２…トレー本体、４２ａ…キャップ接続部、５３…電線差込部、５３ａ…閉鎖部、５３ｂ…通孔予定部、５５…充填材、５５ａ…半田カバー層
【図１】
2006054106.tif 000003
【図２】
2006054106.tif 000004
【図３】
2006054106.tif 000005
【図４】
2006054106.tif 000006
【図５】
2006054106.tif 000007
【図６】
2006054106.tif 000008
【図７】
2006054106.tif 000009
【図８】
2006054106.tif 000010
【図９】
2006054106.tif 000011
【図１０】
2006054106.tif 000012
【図１１】
2006054106.tif 000013